(57)【要約】【課題】  この発明は、エアーチェンバーへの進入、退出が容易であり、且つ、搬入、搬出が容易な高気圧エアーチェンバーを提供することを目的とする。【解決手段】  この発明は、硬質素材で構成された本体部１０と、本体部１０に開閉自在に装着されたドア１４を備える高気圧エアーチェンバーにおいて、本体部１０は側面から見て斜め方向にベース部１１と中間部１２と上部１３に分割可能に構成され、ドア１４は、前方から上方向に解放可能に本体部１０に装着されている。そして、本体部１０内に使用者が着座できる椅子が配置されている。【選択図】    図４
2010088535.tif 000002
【特許請求の範囲】
【請求項１】
硬質素材で構成された本体部と、本体部に開閉自在に装着されたドアを備える高気圧エアーチェンバーにおいて、前記本体部は側面から見て斜め方向に複数に分割可能に構成され、前記ドアは、前方から上方向に解放可能に本体部に装着されていることを特徴とする高気圧エアーチェンバー。
【請求項２】
前記本体部内に使用者が着座できる椅子が配置されていることを特徴とする請求項１に記載の高気圧エアーチェンバー。
【請求項３】
前記本体部は、ベース部と中間部と上部とに分割され、それぞれ対応する接触面が密閉状態で組み付けられていることを特徴とする請求項１又は２に記載の高気圧エアーチェンバー。
【請求項４】
前記上部には、前方向に面する開口部が設けられ、この開口部を密閉するように閉じる前記ドアが開閉自在に取り付けられ、前記ドアは、前方から上方向に解放可能なように取り付けられていることを特徴とする請求項３に記載の高気圧エアーチェンバー。
【発明の詳細な説明】
【技術分野】
【０００１】
この発明は、高気圧の密閉環境を作り出す高気圧エアーチェンバーに関するものである。
【背景技術】
【０００２】
密閉された空間内を通常の大気圧以上に気圧を上げ、その空間内に使用者が一定時間留まることにより、美容、健康増進などをはかる加圧空気チェンバーがある。
【０００３】
従来から、この種の装置は、例えば、特許文献１に示すように、高気圧エアーチェンバーとして、気密を保持し得る布状シートから形成された円筒の袋状のもので、ファスナーの開閉部を有するものが使用されていた。このような高気圧エアーチェンバーは、長手方向に設けられたファスナーを開けてそこから人が入って内部に横たわり、ファスナーを閉めてから内部空間に徐々に空気を送り込んで１．３気圧前後の高気圧環境を作り出すものである。このような高気圧の密閉空間内に数十分〜数時間程度寝ることで、筋肉や靭帯の損傷・骨折等の早期治癒や、筋肉の軽い疲労感の解消や、血液の循環を促進することができるものである。
【０００４】
このような従来型の高気圧エアーチェンバーは、骨折等の早期治癒や筋肉疲労の解消効果があるため、従来はスポーツ選手等によく利用されていた。ところが近年では、血液循環の促進効果に基づいてエステティック美容分野等における利用が検討されている。
【０００５】
このように、エステティック美容分野等において従来型の高気圧チェンバーを使用しようとすると、チェンバーが布状シートから形成された袋状であるため、内部の気圧が上がったときは風船のようにパンパンに膨らむものの、空気が抜けたときは、ぐにゃぐにゃに萎んでしまうため、極めて見た目に悪いという問題があった。また、ぐにゃぐにゃに萎んだチェンバーのファスナーを開けてそこから人が出入するため、人の出入の際に袋がぐにゃぐにゃと変形するために出入の際に身体の安定性が極めて悪く、安全性に欠けるうえに使用感も極めて悪かった。
【０００６】
そこで、特許文献２に示すように、ＦＲＰ（Fiber Reinforced Plastics）のような硬質素材でカプセルを形成し、このカプセル内を高気圧環境にする装置も提案されている。
【特許文献１】特開２００５−３１９０７７号公報
【特許文献２】実用新案登録第３１２１６５６号
【発明の開示】
【発明が解決しようとする課題】
【０００７】
従来の布状シートからなる高気圧エアーチェンバーや硬質素材でカプセルを形成した高気圧エアーチェンバーは、進入、退出口が上部に設けられ、その進入、退出口より、内部に人が入り、内部で仰向けに横たわるように構成されている。進入、退出口は、気密性を保つために、小さな形状であるので、エアーチェンバーへの進入、退出が容易ではないなど使用性が悪いなどの欠点がある。
【０００８】
また、材料に硬質素材などを用いているエアーチェンバーの場合には、装置が一体ものであり、搬入、搬出する場合に制約があるなどの問題があった。
【０００９】
この発明は、上述した従来の問題点に鑑みなされたものにして、エアーチェンバーへの進入、退出が容易であり、且つ、搬入、搬出が容易な高気圧エアーチェンバーを提供することを目的とする。
【課題を解決するための手段】
【００１０】
この発明の高気圧エアーチェンバーは、硬質素材で構成された本体部と、本体部に開閉自在に装着されたドアを備える高気圧エアーチェンバーにおいて、前記本体部は側面から見て斜め方向に複数に分割可能に構成され、前記ドアは、前方から上方向に解放可能に本体部に装着されていることを特徴とする。
【００１１】
更に、この発明は、前記本体部内に使用者が着座できる椅子が配置されていることを特徴とする。
【００１２】
また、前記本体部は、ベース部と中間部と上部とに分割され、それぞれ対応する接触面が密閉状態で組み付けられていることを特徴とする。
【００１３】
さらに、前記上部には、前方向に面する開口部が設けられ、この開口部を密閉するように閉じる前記ドアが開閉自在に取り付けられ、前記ドアは、前方から上方向に解放可能なように取り付けられていることを特徴とする。
【発明の効果】
【００１４】
この発明は、高気圧エアーチェンバーの本体部の構造を組立可能な分割構造としているので、搬入・搬出が容易に行える。そして、装置の進入・退出口となる開口部に前方から上方向に大きく開くドアを設けたことによって、進入・退出が容易になる。
【発明を実施するための最良の形態】
【００１５】
この発明の実施の形態について図面を参照しながら詳細に説明する。なお、図中同一または相当部分には同一符号を付し、説明の重複を避けるためにその説明は繰返さない。
【００１６】
図１はこの発明の高気圧エアーチェンバーの一実施形態を示す斜視図、図２及び図３はドアを開けた状態を示す斜視図、図４は、この発明の高気圧エアーチェンバーの各構成部を分割した状態を示す斜視図である。
【００１７】
図１ないし図４に示すように、高気圧エアーチェンバーは、ＦＲＰを主体として形成された本体部１０と本体部１０に開閉自在に装着されたドア１４を備える。
【００１８】
図４に示すように、この実施形態の本体部１０は、ベース部１１と中間部１２と上部１３に、側面から見て斜め方向に３分割可能に構成されており、ベース部１１と中間部１２の接地面と接触する箇所の所定の位置に複数の台座１６（又はキャスター）が設けられている。ベース部１１と中間部１２のそれぞれ斜め方向の接触面１１ａと１２ａとが密閉状態でかみ合わされるように形成され、両者の接触面１１ａと１２ａとを合わせて、図示しないボルト、ナットにより両者が組み付けられる。中間部１２と上部１２のそれぞれ斜め方向の接触面１２ｂと１３ａとが密閉状態でかみ合わされるように形成され、両者の接触面１２ｂａと１３ａとを合わせて、図示しないボルト、ナットにより両者が組み付けられる。これらベース部１１、中間部１２、上部１３を組み付けることにより、本体部１０が形成される。各部１１、１２、１３を組み合わせた本体部１０は、各部の接合部から空気が漏れないように、密閉状態で組み付けられるように構成されている。
【００１９】
上部１３には、人の進入、退出を行う開口部１３０が前方向に面して設けられる。そして、この開口部１３０を密閉するように閉じるドア１４がヒンジ１３１により開閉自在に取り付けられ、ダンパー１７にて容易な開閉を可能にしている。ドア１４は、前方から上方向に大きく解放可能なように取り付けられ、使用者の侵入、退出を容易にしている。
【００２０】
本体部１０の内部には、リクライニングが可能な椅子２０が設置されている。ドア１４には、窓１８が設けられ、椅子２０に座った使用者の状態を確認できるとともに、使用者も外部を視認することができる。
【００２１】
本体部１０の側面には、外部よりドア１４をロックまたは解除するためのレバー３０が設けられている。
【００２２】
このように、この実施形態においては、高気圧エアーチェンバーの本体部１０の構造を組立可能な３分割構造とし、搬入・搬出を容易にしている。そして、装置の進入・退出口となる開口部１３０に前方から上方向に大きく開くドア１４を設けたことによって、従来より進入・退出が容易な構成にしている。
【００２３】
また、装置を分割構造にすることで形状が従来の直線的な構造から自由度が広がり、内部に椅子２０を設置し、使用者が着座状態での使用が可能となる。この結果、進入・退出が容易になるとともに、仰向け状態での使用に比べ容易に高気圧エアーチェンバーを使用することができる。
【００２４】
本体部１０には、図示はしていないが、当該高気圧エアーチェンバー内に高気圧の空気を供給するための空気供給バルブと、前記空気を排気するための空気排気バルブが配設される。
【００２５】
次に、この実施形態におけるドア１４と本体部１０との開閉機構につき図５ないし図１０に従い説明する。図５はドア１４と本体部１０との開閉機構を示し、（Ａ）は斜視図、（Ｂ）は（Ａ）のＡで示す部分の斜視図、（Ｃ）は（Ａ）のＢで示す部分の斜視図である。図６は、ドア１４をロック状態にしたときの断面側面図、図７はドア１４のロックを解除したときの断面側面図である。図８は、本体部とドアとをロックする爪部を示す側面図、図９は、本体部とドアとをロックする爪部を示す斜視図、図１０は本体部とドア部との密閉状態の詳細を示す断面図である。
【００２６】
図５ないし図７に示すように、ドア１４と本体部１０間には複数のロック機構（ロック爪４１、爪受け５１）を配して高気圧エアーチェンバーの内圧からドア１４が開放するのを防止している。この実施形態では、ドア１４の一方側に４個のロック爪４１と爪受け５１とからなるロック機構を設け、他方側にはドア１４に設けたブロック５２と本体部１０に設けたブロック受け用孔５３とからなる位置決め機構が設けられる。ドア１４に設けたブロック５２と本体部１０に設けたブロック受け用孔５３とが係合し、ドア１４と本体部１０との位置決めを行い、両者がずれないように構成されている。
【００２７】
上記のように、ドア１４側に配置したブロック５２と本体部１０側に配置したブロック受け用孔５３の係合により、高気圧エアーチェンバー内圧により変形が防止される。
【００２８】
ロック機構は、ドア１４側の４箇所に爪受け５１を設け、本体部１０側のドア１４の爪受け５１と対向する側の４箇所に爪４１を設けて爪４１の回転によりロックを開閉できるように構成している。
【００２９】
図６及び図７に示すように、複数のロック機構は、ロッド４０ａ、４０ｂ、４０ｃによるリンク機構により、互いにリンクし、１つのレバー３０で、各ロック機構は連動し、爪４１と爪受け５１との係合又は解放を行うように構成している。
【００３０】
図９に示すように、先端に爪４１を有する爪本体４２はＬ字状に形成され、本体部１０の上部１３に取り付けた爪回転軸４３に回動自在に取り付けられている。爪本体４２の爪受け５１と係合する側とは反対側の端部には、リンク機構のロッドが回動自在に取り付けられている。
【００３１】
この実施形態では、一番下に位置する爪本体４２には、レバー３０に取り付けられたギア３１と噛み合うギア３２が取り付けられ、レバー３０の移動（図１に示す左右方向の動き）に応じて、ギア３１が右回転又は左回転し、この回転に応じて、ギア３２が回転し、爪受け５１に爪４１が係合または解除される。この１番下の爪４１の端部の先端には、ロッド４０ａが取り付けられている。そして、一番下から２番目に位置する爪本体４２には、ロッド４０ａが回動自在に取り付けられ、この爪本体４２の端部の先端には、次のロッド４０ｂが取り付けられている。中央に位置する爪本体４２には、ロッド４０ｂが回動自在に取り付けられ、この爪本体４２の端部の先端には、次のロッド４０ｃが取り付けられている。最上部に位置する爪本体４２には、ロッド４０ｃが回動自在に取り付けられている。
【００３２】
ドア１４に設けられた爪受け５１には、爪受け用ローラ５４が設けられ、このローラ５４により爪４１が案内され、爪４１と爪受け５１とが係合または係合状態から解除される方向に移動する。
【００３３】
図７は、爪４１と爪受け５１とが離間し、解除状態を示している。４つの爪４１がリンク機構により、レバー３０の動きに連動して、係合状態から解除状態になる。この状態でドア１４を解放することができる。
【００３４】
図６は、爪４１と爪受け５１とが係合し、ロック状態を示している。４つの爪４１がリンク機構により、レバー３０の動きに連動して、解除状態から係合状態になる。この状態で、他方側ではブロック５２と本体部１０に設けたブロック受け用孔５３とが係合し、ドア１４と本体部１０との位置決めを行い、両者がずれないように構成されている。高気圧エアーチェンバー内が所定の高気圧、例えば、１．３気圧になるように、空気が本体内部１０に導入される。このとき、ロック機構の係合とドア１４側に配置したブロック５２と本体部１０側に配置したブロック受け用孔５３の係合により、エアーチェンバー内圧により本体部１０と、ドア１４との変形が防止される。
【００３５】
図１０に示すように、ドア１４と本体部１０との間には、中空形状のエアチューブ６１を配置している。ドア１４をロック状態にし、本体部１０とドア１４を閉状態の時に、伸縮できるゴムなどのエアチューブ６１に内圧をかけて膨らまし、ドア１４と本体部１０の密着を高め、高気圧エアーチェンバーの内圧漏洩を防止している。この実施形態では、本体部１０にエアチューブ６１を収納する収納凹所６０が設けられ、この凹所６０にエアチューブ６１をはめ込んでいる。上記エアチューブ６１には、図示はしないが空気を注入するための空気注入口が少なくとも一箇所設けられ、この空気注入口には、図示しないエアポンプが接続されている。エアポンプにより空気の注入又は排気が行われ、閉状態の時には、エアポンプによりエアチューブ６１内の空気圧を高め、エアーチェンバーの内圧漏洩を防止している。ドア１４を解放する時には、エアチューブ６１内の空気を排気し、エアチューブ６１内の空気圧を低め、ドア１４の解放を容易にしている。尚、図１０において、１４０は、ドア１４のＦＲＰ部材を示している。
【００３６】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【図面の簡単な説明】
【００３７】
【図１】この発明の高気圧エアーチェンバーの一実施形態を示す斜視図である。
【図２】この発明の高気圧エアーチェンバーの一実施形態のドアを開けた状態を示す斜視図である。
【図３】この発明の高気圧エアーチェンバーの一実施形態のドアを開けた状態を示す斜視図である。
【図４】この発明の高気圧エアーチェンバーの一実施形態の各構成部を分割した状態を示す斜視図である。
【図５】この発明の高気圧エアーチェンバーの一実施形態のドアと本体部との開閉機構を示し、（Ａ）は斜視図、（Ｂ）は（Ａ）のＡで示す部分の斜視図、（Ｃ）は（Ａ）のＢで示す部分の斜視図である。
【図６】この発明の高気圧エアーチェンバーの一実施形態のドアをロック状態にしたときの断面側面図である。
【図７】この発明の高気圧エアーチェンバーの一実施形態のドアのロックを解除したときの断面側面図である。
【図８】この発明の高気圧エアーチェンバーの一実施形態の本体部とドアとをロックする爪部を示す側面図である。
【図９】この発明の高気圧エアーチェンバーの一実施形態の本体部とドアとをロックする爪部を示す斜視図である。
【図１０】この発明の高気圧エアーチェンバーの一実施形態の本体部とドア部との密閉状態の詳細を示す断面図である。
【符号の説明】
【００３８】
１０  本体部、１１  ベース部、１２  中間部、１３  上部、１４  ドア、１８  窓部、２０  椅子。
【図１】
2010088535.tif 000003
【図２】
2010088535.tif 000004
【図３】
2010088535.tif 000005
【図４】
2010088535.tif 000006
【図５】
2010088535.tif 000007
【図６】
2010088535.tif 000008
【図７】
2010088535.tif 000009
【図８】
2010088535.tif 000010
【図９】
2010088535.tif 000011
【図１０】
2010088535.tif 000012